【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
ガラスシートを成形する方法であって、
（ｉ）前記ガラスシートを支持するための成形支持体を提供するステップと、
（ｉｉ）少なくとも第１および第２の金型部材を備えるプレス曲げ装置を提供するステップであって、前記第１および第２の金型部材の各々が前記成形支持体に対して可動である、ステップと、
（ｉｉｉ）前記ガラスシートを加熱するステップと、
（ｉｖ）前記ガラスシートを前記成形支持体上に位置付けするステップと、
（ｖ）前記成形支持体および前記プレス曲げ装置のうちの少なくとも一方を他方に向かって移動させて、前記成形支持体と前記第１の金型部材との間で前記ガラスシートをその第１の領域で押圧するステップと、
（ｖｉ）前記第２の金型部材を前記第１の金型部材に対して移動させて、前記ガラスシートをその第２の領域で押圧するステップと、
（ｖｉｉ）前記第１の金型部材を前記成形支持体に対して移動させて、前記第１の金型部材と前記成形支持体との間で前記ガラスシートをその前記第１の領域でさらに押圧するステップと、を含む、方法。
【請求項２】
ステップ（ｖ）の前またはステップ（ｖ）の間、前記プレス曲げ装置が、前記ガラスシートにその前記第２の領域で接触する、請求項１に記載の方法。
【請求項３】
ステップ（ｖｉｉ）の間、前記第２の金型部材が、前記成形支持ガラスシートに対して移動して、前記ガラスシートをその前記第２の領域でさらにプレス曲げする、請求項１または２に記載の方法。
【請求項４】
ステップ（ｖｉｉ）の間、前記第２の金型部材も、前記第１の金型部材に対して移動する、又は、ステップ（ｖｉｉ）の間、前記成形支持体に対する前記第１および第２の金型部材の前記移動が同調する、請求項３に記載の方法。
【請求項５】
前記ガラスシートの前記第１の領域が、前記ガラスシートの周辺領域であり、かつ／または前記ガラスシートの前記第２の領域が、前記ガラスシートの中央領域である、請求項１〜４のいずれかに記載の方法。
【請求項６】
前記成形支持体が、前記ガラスシートをその周辺領域の周りで支持するための少なくとも１つのレールを備え、および、ステップ（ｖ）の間、前記ガラスシートが、周辺領域で前記第１の金型部材と前記成形支持体との間で押圧される、請求項１〜５のいずれかに記載の方法。
【請求項７】
ステップ（ｖｉ）の間、前記ガラスシートが、その中央領域で押圧されながら、前記ガラスシートが、前記第１の金型部材と前記成形支持体との間で押圧される、請求項１〜６のいずれかに記載の方法。
【請求項８】
前記第１の金型部材が、成形表面を有し、前記ガラスシートが、ステップ（ｖ）の間に前記第１の金型部材の前記成形表面に面し、更に、前記第１の金型部材が、その前記成形表面に少なくとも１つの開口部を有し、前記第１の金型部材の前記成形表面の前記少なくとも１つの開口部が、少なくとも１つの真空源と流体連通しており、前記少なくとも１つの真空源が、ステップ（ｖｉｉ）の後に、前記ガラスシートの前記第１の領域の一部で少なくとも１つの負圧領域を提供するように動作可能であり、かつ／または前記第１の金型部材の前記成形表面の前記少なくとも１つの開口部が、少なくとも１つの流体源と流体連通して、前記流体がステップ（ｖｉｉ）の後に、前記第１の金型部材の前記成形表面の前記少なくとも１つの開口部を通して流され得る、請求項１〜７のいずれかに記載の方法。
【請求項９】
前記第２の金型部材が、成形表面を有し、前記ガラスシートが、ステップ（ｖｉ）の間に前記第２の金型部材の前記成形表面に面し、更に、前記第２の金型部材が、その前記成形表面に少なくとも１つの開口部を有し、前記第２の金型部材の前記成形表面の前記少なくとも１つの開口部が、少なくとも１つの真空源と流体連通しており、前記少なくとも１つの真空源が、ステップ（ｖｉｉ）の後に、前記ガラスシートの前記第２の領域の一部で少なくとも１つの負圧領域を提供するように動作可能であり、かつ／または前記第２の金型部材の前記成形表面の前記少なくとも１つの開口部が、少なくとも１つの流体源と流体連通して、前記流体がステップ（ｖｉｉ）の後に、前記第１の金型部材の前記成形表面の前記少なくとも１つの開口部を通して流され得る、請求項１〜８のいずれかに記載の方法。
【請求項１０】
前記プレス曲げ装置が、前記第１および第２の金型部材の間に少なくとも１つ（第１）の隙間が存在するように構成されており、更に、前記第１の隙間が、少なくとも１つの真空源と流体連通し、前記少なくとも１つの真空源が、前記第１の隙間に対向する前記ガラスシートの一部に少なくとも１つの負圧領域を提供するように動作可能であり、前記第１の隙間に対向する前記ガラスシートの前記一部が、前記ガラスシートの前記第１および第２の領域の間にあり、かつ／または前記第１の隙間が、少なくとも１つの流体源と流体連通して、前記流体がステップ（ｖｉｉ）の後に、前記第１の隙間を通して流され得る、請求項１〜９のいずれかに記載の方法。
【請求項１１】
前記第１の金型部材が、金型部材カバーを有して、ステップ（ｖ）の間に前記第１の金型部材の前記金型部材カバーが、前記第１の金型部材と前記ガラスシートとの間にあり、および／または、前記第２の金型部材が、金型部材カバーを有して、ステップ（ｖｉ）の間に前記第２の金型部材の前記金型部材カバーが、前記第２の金型部材と前記ガラスシートとの間にある、請求項１〜１０のいずれかに記載の方法。
【請求項１２】
ステップ（ｖｉ）の間、前記第２の金型部材が、前記第１の金型部材に対して２ｍｍ超だけ移動される、および／または、前記第１の金型部材が、前記成形支持体に面する成形表面を有し、前記第２の金型部材が、前記成形支持体に面する成形表面を有し、ステップ（ｖ）の前に前記プレス曲げ装置は、前記第１および第２の金型部材の前記成形表面が、２ｍｍ超だけ互いに変位するように構成されている、請求項１〜１１のいずれかに記載の方法。
【請求項１３】
ステップ（ｉｉｉ）の間、前記ガラスシートが、５８０℃〜７００℃のプレス曲げに好適な温度に加熱される、かつ／または、前記ガラスシートが、ガラスシートの積層内の１枚のシートである、かつ／または、ステップ（ｉｖ）が、ステップ（ｉｉｉ）の前に行われる、請求項１〜１２のいずれかに記載の方法。
【請求項１４】
ステップ（ｖｉｉ）に続いて、前記曲げられたガラスシートが、前記ガラスシートの主表面のうちの少なくとも１つに向けられた冷却流体のジェットで前記ガラスシートを急冷することにより熱強化される、および／または、ステップ（ｖｉｉ）に続いて、前記曲げられたガラスシートが、中間層材料の少なくとも１枚のシートを備える中間層構造を使用して、別のガラスシートに積層される、請求項１〜１３のいずれかに記載の方法。
【請求項１５】
前記第１の金型部材が、環状リングである、および／または、前記第２の金型部材が、前記第１の金型部材内に少なくとも部分的に配備される単一構造の金型である、および／または、前記第２の金型部材が、前記第１の金型部材内に半径方向に配備される、請求項１〜１４のいずれかに記載の方法。
【請求項１６】
ガラスシートを成形するための装置であって、
成形表面を各々有する少なくとも第１および第２の金型部材を備えるプレス曲げ装置を備え、前記プレス曲げ装置が、
前記第１の金型部材の前記成形表面および前記第２の金型部材の前記成形表面が整列されて、成形支持体上に支持されるときに前記ガラスシートを最終形状に押圧するための成形表面を有する前記プレス曲げ装置を提供するように前記第１および第２の金型部材が配置される、第１の構成と、
前記第１の金型部材の前記成形表面が、前記第２の金型部材の前記成形表面に対して変位している、第２の構成と、を有し、
前記第１および第２の金型部材が、互いに対して可動であり、
前記プレス曲げ装置が、プレス曲げ動作の間に前記第１および第２の金型部材の位置を制御するための制御手段をさらに備え、
前記制御手段が、前記第１および第２の金型部材の互いに対する位置を制御して、請求項１〜１５のいずれかに記載の方法のステップ（ｖ）、（ｖｉ）、（ｖｉｉ）のうちの少なくとも１つを実行するように構成されている、装置。
【請求項１７】
前記第１および／または第２の金型部材の前記成形表面が、そこに少なくとも１つの開口部を有し、それぞれの前記成形表面の前記少なくとも１つの開口部が、少なくとも１つの負圧源と流体連通し、および、前記制御手段が、前記少なくとも１つの負圧源を制御して、請求項１〜１５のいずれかに記載の方法におけるステップ（ｖｉｉ）の後に、前記少なくとも１つの開口部に負圧の少なくとも１つの領域を生成するように構成されている、請求項１６に記載の装置。
【請求項１８】
前記プレス曲げ装置が前記第１の構成内にあるとき、前記プレス曲げ装置が、前記第１の金型部材の前記成形表面と前記第２の金型部材の前記成形表面との間に少なくとも第１の隙間が存在するように配置される、請求項１６または請求項１７に記載の装置。
【請求項１９】
前記制御手段が、前記少なくとも１つの負圧源を制御して、請求項１〜１５のいずれかに記載の方法におけるステップ（ｖｉｉ）の後に、所望の時点で前記第１の隙間に負圧の少なくとも１つの領域を生成するように構成されている、請求項１８に記載の装置。
【請求項２０】
請求項１６〜１９のいずれかに記載の装置と、その上にガラスシートを支持するための成形支持体とを備え、３つの構成、以下、前記プレス曲げ装置が第１の配置内にあり、前記成形支持体に対して第１の距離だけ離間している前記アセンブリのための第１の構成と、前記プレス曲げ装置が第２の配置内にある前記アセンブリのための第２の構成と、前記プレス曲げ装置が第３の配置内にある前記アセンブリのための第３の構成と、を有し、前記第１および第２の金型部材の前記成形表面は整列しているが、前記プレス曲げ部材が、前記成形支持体に対して前記第１の距離とは異なる第２の距離だけ離間している、アセンブリ。